(57)【要約】      （修正有）【課題】半側発汗作用を促す適切な位置を簡便に押圧しうるフリーサイズの胸部皮膚押圧用器具を提供する。【解決手段】胸部に巻き回して端部どうしを係止するための係止部５を両端部６に備えた伸縮性バンド２を有し、その外表面３にサイズに応じた配置箇所を指し示すための数字、文字もしくは記号を表示した表示部が備わり、伸縮性バンドを挿通させるための挿通孔８を備えた鞘状の筒体７には、胸部との当接面側に複数の突起９が配され、他方の外表面には伸縮性バンドの表示部を視認するための位置合わせガイド用の覗き窓が備わり、表示部が筒体の覗き窓から視認可能なように、複数個の鞘状の筒体が伸縮性バンドに挿通されている。【選択図】図１
0003226876.tif 000002
【実用新案登録請求の範囲】
【請求項１】
胸部に巻き回して端部（６）どうしを係止するための係止部（５）を両端部（６，６）に備えた伸縮性バンド（２）には、その外表面（３）にサイズに応じた配置箇所を指し示すための数字、文字もしくは記号を単色もしくは多色で表示した表示部（４）が備わっており、
該伸縮性バンド（２）を挿通させるための挿通孔（８）を備えた鞘状の筒体（７）には、胸部との当接面側に複数の突起（９）が配され、他方の外表面には前記伸縮性バンドの表示部を視認するための位置合わせガイド用の覗き窓（１０）が備わっており、
前記伸縮性バンド（２）に複数個の鞘状の筒体（７）が、伸縮性バンドの表示部（４）が該筒体（７）の覗き窓（１０）から視認可能な向きで挿通されている、胸部皮膚押圧用器具（１）。
【請求項２】
鞘状の筒体（７）の当接面側の複数の突起（９）が半球状の弾性体であることを特徴とする請求項１に記載の胸部皮膚押圧用器具（１）。
【請求項３】
鞘状の筒体（７）の当接面側の複数の突起（９）がシリコーン樹脂製の弾性体であることを特徴とする請求項１又は２に記載の胸部皮膚押圧用器具（１）。
【請求項４】
覗き窓（１０）は鞘状の筒体（７）の外表面中央に開口した開口窓からなることを特徴とする請求項１から３のいずれか１項に記載の胸部皮膚押圧用器具（１）。
【考案の詳細な説明】
【技術分野】
【０００１】
本考案は、人の胸部に装着することにより、主として頭部、肩、脇、上胸などからの発汗を抑制するための胸部皮膚押圧用器具に関する。
【背景技術】
【０００２】
従来、内側面に複数の突起部が設けられ、外側面に取付部が設けられた押圧体と、この押圧体を人体体側部の脇の下部分に取り付け、固定するための弾性バンドからなる締着具とから成る発汗抑制具であって、締着具の両端部には係止片と係止受部とが設けられ、両端が係止されており、押圧体が取り付けられた締着具を人体の胸回りに取り付けて、押圧体を脇の下部分に位置させることにより、押圧体の突起部が脇の下部分を押圧し、発汗を抑制することができる器具が提案されている（特許文献１参照。）。
【０００３】
また、人の胸部に巻き付けて装着される基体の内面に押圧突起が配置され、基体を人の胸部に装着したときに、基体が人の胸部を締め付けるとともに、押圧突起が人の胸部における汗止めツボを押圧する制汗用具が提案されている（特許文献２参照）。
【０００４】
これらの器具の用いる手法の発汗抑制の原理は、半側発汗という反射作用として知られている原理を利用するものである。半側発汗とは、一側の側胸部や側臀部を圧迫すると、圧迫側で発汗が抑制され、その反対側の発汗が増える皮膚圧発汗反射である。上半身部位、とくに側胸部の圧迫で上半身に半側発汗の反射が起こり、顔が汗ばまないこととなる。こうした圧迫の手法自体は、舞妓等が胸の高い位置で帯を締めて圧迫していることなどで知られていたものであり、半側発汗という反射に基づく発汗抑制であることが解明されている。
【先行技術文献】
【特許文献】
【０００５】
【特許文献１】特開平９−１４９９２９号公報
【特許文献２】登録実用新案第３１９７７１９号公報
【考案の概要】
【考案が解決しようとする課題】
【０００６】
従来より、発汗抑制を目的とした器具として、いずれも半側発汗の原理に沿って、上半身の側脇部の皮膚を圧迫することを意図するものが存在しているが、適切な位置を簡易に強く安定して圧迫するためには未だ十分とはいえなかった。
【０００７】
たとえば、人の胸部周りのサイズは体型によってまちまちとなるところ、特許文献２のようなバンドを用いるとなれば、ＳＭＬなど３〜４種類のサイズを設ける必要があり、製造販売する側はサイズパターンを複数品揃えする必要があった。また利用する側にとっても購入前にマッチするサイズを確認する手段がないため、調整範囲が予測しにくいなどの不都合があった。
【０００８】
また特許文献１の器具は、押圧体を弾性バンドにひっかけるようになっているので、ひっかけるだけでは、使い勝手が十分とはいえず、位置合わせのための移動の目安がなかった。
【０００９】
本考案の目的は、胸部の上方、脇の下あたりを圧迫するための突起部を胴回りのサイズに応じてベルト上をスライドさせることによって、簡易かつ適切に位置せしめることができる、半側発汗によるフリーサイズの制汗器具を提供することである。
【課題を解決するための手段】
【００１０】
前記目的を達成するための本考案の第１の手段は、
胸部に巻き回して端部同士を係止するための係止部を両端部に備えた伸縮性バンドには、その外表面にサイズに応じた配置箇所を指し示すための数字、文字もしくは記号を単色もしくは多色で表示した表示部が備わっており、
該伸縮性バンドを挿通させるための挿通孔を備えた鞘状の筒体には、胸部との当接面側に複数の突起が配され、他方の外表面には前記伸縮性バンドの表示部を視認するための位置合わせガイド用の覗き窓が備わっており、
前記伸縮性バンドに複数個の鞘状の筒体が、伸縮性バンドの表示部が該筒体の覗き窓から視認可能な向きで挿通されている、胸部皮膚押圧用器具
である。
【００１１】
その第２の手段は、鞘状の筒体の当接面側の複数の突起が半球状の弾性体であることを特徴とする第１の手段に記載の胸部皮膚押圧用器具である。
【００１２】
その第３の手段は、鞘状の筒体の当接面側の複数の突起がシリコーン樹脂製の弾性体であることを特徴とする第１又は第２の手段に記載の胸部皮膚押圧用器具である。
【００１３】
その第４の手段は、覗き窓は鞘状の筒体の外表面中央に開口した開口窓からなることを特徴とする第１から第３のいずれか１の手段に記載の胸部皮膚押圧用器具である。
【考案の効果】
【００１４】
本考案の胸部皮膚押圧用器具の伸縮性バンドを胸部上方、脇の下近くの胸部の高い位置に巻き回すよにして係止し、側胸部に突起を押し当てるようにして皮膚を強く圧迫すると、半側発汗の反射作用によって、頭部から胸部、脇などの上半身の発汗を適切に抑制することができる。
【００１５】
とりわけ、鞘状筒体を発汗を抑制するためのツボ付近に適切に配することが容易となるので、選択的に効率よくツボ付近の皮膚を押し圧することができる。
【図面の簡単な説明】
【００１６】
【図１】本考案の実施の形態の胸部皮膚押圧用器具の概略図である。
【図２】本考案の実施の形態の胸部皮膚押圧用器具の鞘状の筒体内にバンドが挿通されている様子を示す。
【図３】本考案の実施の形態の胸部皮膚押圧用器具の伸縮性バンドの拡大参考図である。
【考案を実施するための形態】
【００１７】
以下、本考案につき適宜図面を参照しつつ説明する。図１は本考案の実施の一態様を示す胸部皮膚押圧用器具の概略図である。半球状の突起が人の胸部に接する内向きの肌当接面である。
【００１８】
本考案における伸縮性バンドは、形状、材質に特段の限定はなく、人の胸部に巻き付けたときに胸部を締め付けることができるものであればどのようなものでもよい。また、以下の実施形態ではベルト状のバンドを例に説明するが、該伸縮性バンドがブラジャー、コルセット等の補正下着類、キャミソール等の下着類、帯・紐などと一体になったものであっても適用しうる。
【００１９】
伸縮性のバンドの両端は、スナップや平面ファスナーなどで互いに係止可能とすることであり、胸部にバンドを引き伸ばしながら巻き回して両端を止めるものとすることで輪になることができる。輪になると、バンドの弾性力で胸部の皮膚を圧迫することとなるので、容易に締めつけることができ、半側発汗の反射作用によって上半身の発汗が抑制されることとなる。
【００２０】
また、本考案において、押圧のための突起の形状、材質に特段の限定はなく、人の胸部のツボを適度に押圧できるものであればどのようなものでも適用可能である。具体的には、形状としては、後述する実施形態で示した半球状や略半楕円球状などの種々の凸型形状、あるいは円筒状や楕円筒状の種々の凹型形状等を挙げることができる。また、材質としては、後述の実施形態で示すシリコーン樹脂に限らず、弾性のプラスチック類のほか、金属や木質材料等も適用しうる。とりわけ、半球状や半楕円球状、また弾性のシリコーン樹脂からなる突起であることが好適である。
【００２１】
これらの突起によって、発汗抑制を促すツボの付近の皮膚を適度に圧迫して刺激することができる。なお、球状であれば痛覚をいたずらに付与することもないので、痛さを与えない丸みを帯びた半球状等の形状が突起として好適である。なお、発汗抑制に作用する部位は両乳首の外周から脇にかけて存するとされている。
【００２２】
図１に示す本考案の一例の実施例の態様について具体的に説明する。実施例における胸部皮膚押圧用器具（１）では、伸縮性バンド（２）が複数の鞘状の筒体（７）を４個挿通する態様を例に説明する。鞘状の筒体（７）は、胸部皮膚押圧用器具（１）は胸部上方に巻き付け係止して左右の胸側部上方を効率よく圧迫するための器具であるから、通常は左右側面に偶数個の鞘状の筒体（７）を配しており、２個もしくは４個が伸縮バンド（２）に挿通されている。
【００２３】
図３に示すように、伸縮性バンド（２）はスパンデックス等の伸縮する弾性糸を芯に用いてゴム編みされたベルトであり、ベルトの外表面（３）は比較的丈夫な糸を用いて弾性と強度を確保する一方で、肌に当接する面（１１）には、軟らかい肌触りが露出するように添え糸として軟らかい糸を用いると肌にやさしく使い心地がよいものとできる。
【００２４】
伸縮性バンド（２）は、平常時の長さが６５〜１１０ｃｍ（本実施例ではたとえば７３ｃｍとする。）であり、幅は１〜３ｃｍである。（本実施例では幅２ｃｍである。）図３（ａ）及び（ｃ）がバンド（２）の平常時であり、（ｂ）及び（ｄ）が伸長された状態を示している。この実施例の伸縮性バンドでは最大伸長率が約５０％である。バンド（２）の一方のの端部（６）と他方の端部（６）が重なりあい、実施例ではスナップボタンで経係止されてリング状になるので、６０〜６５ｃｍ程度の直径が、胸部の胴周りに巻き付けることで７５ｃｍ程度まで伸長された状態となり、ゴムの収縮によって胸部を圧迫することとなる。
【００２５】
図２（ｂ）に示すように、伸縮性バンド（２）にはまっている鞘状の筒体（７）は、長さが６ｃｍで、表面に３個の半球状の突起（９）が離間するようにして、この突起が使用者の胸部に当接する面（１１）に向けて配されている。筒体（７）の挿通孔（８）にバンド（２）を挿通して用いる。突起の直径は約１２ｍｍ高さ約６ｍｍであり、シリコーン樹脂からなる半球状のパーツが内包され、外側を伸縮性の生地で被覆されている。なお突起（９）の外径は５〜１５ｍｍ、より好ましくは８〜１２ｍｍ、厚さは３〜１０ｍｍ、より好ましくは５〜８ｍｍとすることが適当である。突起の個数は、一列に３個の例を示すが、これに限られず、複数の突起が並列しているものであってもよい。
【００２６】
この鞘状の筒体（７）はバンド（２）を長手方向に移動させることができる。移動させる目安として、バンド（２）の外表面（３）に設けられた表示部（４）の各指標を用いることができる。図２（ａ）に示すように、鞘状の筒体（７）は全体が伸縮性の編地で形成されていて、外表面の中央に覗き窓（１０）が開口されることで、ベルト（２）の外表面（３）に記載された文字や数字、記号といった表示部（４）の指標を覗き窓（１０）の開口から視認しうるようになっている。
【００２７】
この表示部（４）の指標として、実施例では、胴回りのサイズに応じて、たとえばＳ、Ｍ、Ｌといった文字をバンドの外表面に適宜配してあり、指標を目安に鞘状の筒体（７）を伸縮性バンド（２）上を長手方向にスライドさせて位置合わせすることができる。位置合わせをすることで、使用者の胸側部を半球状のシリコーンで簡便かつ的確に押圧できるようになっている。図２（ａ）では、覗き窓（１０）から指標の文字のＳが見えている様子を図示している。Ｓの場合はベルト状に長手方向に４カ所Ｓの文字が配されることとなる。Ｓの配置間隔よりも広めの間隔でＭが、さらに間隔を開けてＬの文字が付されることとなっている。こうした指標を用いることで着用者の胸囲に応じて筒体（７）をスライド移動させることができるので、突起（９）の位置を胸側部に合わせることが容易となる。
【００２８】
文字による指標の場合には、Ｓ、Ｍ、Ｌ、ＬＬなどのサイズ感に応じて間隔が拡がるようにバンドの外表面上に印字しておくが、他にもサイズに応じて１〜９までの数字を適宜配置してもよい。また、丸や三角、四角、星といった図形の記号を用いて位置合わせの指標とすることや、指標毎に色を変えることで視認性を向上させることもできる。
【００２９】
本実施例の胸部皮膚押圧用器具（１）は着用者の胸部上方に直接巻き付け、脇の下の近くや乳頭のやや上方外よりといった箇所に突起（９）を押し当てるように圧迫して使用するものである。このようにして圧迫すると半側発汗という反射作用を誘起するので、主として頭部、顔や腋といった上体の発汗を適切に抑制することができる。バンドのサイズを複数用意せずとも、表示部（４）の指標を参考に筒体（７）をスライド移動させて覗き窓（１０）の位置を調整することができるので、１本のバンドを複数のサイズで兼用できるため、フリーサイズとすることができ、複数のパターンを用意する必要がなくなる。
【符号の説明】
【００３０】
１  胸部皮膚押圧用器具
２  伸縮性バンド
３  外表面
４  表示部
５  係止部
６  端部
７  鞘状の筒体
８  挿通孔
９  突起
１０  覗き窓
１１  肌当接面
【図１】
0003226876.tif 000003
【図２】
0003226876.tif 000004
【図３】
0003226876.tif 000005